(57)【要約】【課題】  本発明は、ラミネートチューブ内容物であるクリーム剤等の使用残量に応じラミネートチューブ末端部分より取出し口へ絞り上げる過程において、絞り上げた後の不要となるラミネートチューブ末端部分を順次巻き上げる際、巻き上げ部分の巻き戻り防止のために予め設けるラミネートチューブ巻き戻り防止テープを提供するものである。【解決手段】  ラミネートチューブ内容物の使用過程において内容物の減少に応じ、末端部分から内容物を絞り上げ使用する際、絞り上げたラミネートチューブ末端不用部分を巻き上げた後、その状態を保持し巻き戻らないよう、予めラミネートチューブ表面に粘着層を設けた巻き戻り防止テープを用意した。これを使用することにより不用となるラミネートチューブ巻き上げ部分の巻き上げ保持が可能となりラミネートチューブ内容物であるクリーム剤等が絞り出し易くなる。【選択図】図２
2009269671.tif 000002
【特許請求の範囲】
【請求項１】
ラミネートチューブの巻き取り際し、ラミネートチューブ表面に予めラミネートチューブ巻き戻り防止を目的としたテープを用意し、ラミネートチューブ末端より内容物絞り上げ後の不用となる末端部分を巻き上げの際、巻き戻らないよう接着保持できるラミネートチューブ巻き戻り防止テープ。
【発明の詳細な説明】
【技術分野】
【０００１】  本発明は、ラミネートチューブ内容物であるクリーム剤等の使用残量に応じラミネートチューブ末端部分より取出し口へ絞り上げる過程において、絞り上げた後の不要となるラミネートチューブ末端部分を順次巻き上げる際、巻き上げ部分の巻き戻り防止のために設けるラミネートチューブ巻き戻り防止テープに関するものである。
【背景技術】
【０００２】  従来、歯磨きクリーム、化粧クリームなどラミネートチューブ内容物を使って行くに従って取出し口から絞り出し難くなるため、ラミネートチューブの端から取出し口方向へ絞り上げなければならず、またせっかく絞り上げても外圧を加え使用するうちすぐに内容物が末端方向に移動するため、繰り返しこの絞り上げ作業を行わなければならなかった。【０００３】  そのため絞り上げたラミネートチューブ内容物が元に戻らないようにする方法はつぎの手段として知られている。
１）ラミネートチューブの折り畳み部分のほぐれを防止するため、折り畳み個所に部分的に接着するシールを設ける。（実用新案文献１参照）
【実用新案文献１】
登録実用新案第３０４８１１６号
２）ラミネートチューブの使用過程に応じチューブ端から内容物を絞り上げ、絞り上げた内容物が逆流しないようラミネートチューブ外側からグリップ状のはさみ器具ではさんで内容物の逆流を防止する。
３）ラミネートチューブに塑性変形する金属板等を一体成型し、ラミネートチューブの巻き戻りを防止する。
【発明の開示】
【発明が解決しようとする課題】
【０００４】  しかしながら、上記１）の部分的な接着シールの提供は、巻き戻り力をシール面の接着力のみで保持する必要があるため、繰り返しの使用で接着力の低下による使用不能になること、また予めラミネートチューブ表面に用意されていないものであり使用する時に探さなければならないなどの問題があった。【０００５】さらに上記２）のクリップ状のはさみ器具の手段においてはクリップ状の器具を用意する必要があること、また滑らかなラミネートチューブ表面に器具の出っ張りが生じることによる取り扱い難くなるなどの問題があった。【０００６】  さらに上記３）のラミネートチューブに塑性変形する金属板の一体成型は、加工に要する技術と費用対効果の面で、また使い終わった後のラミネートと金属の混合製品としての分別ゴミ処理問題、再資源化問題につながるものであるため、不向きである。【０００７】  本発明は従来例の実施手段を解決し、はさみ器具及び別添シールなどを用意する必要が無く予めラミネートチューブ表面に用意したものを利用し、手軽にかつ強固に接着固定できるため、これを利用し巻き上げ接着されたラミネートチューブ容器の使用に際しては、お年寄りから子供に至るまで誰でも簡単にラミネートチューブ内容物を絞り出し易くすることができるものである。本発明は巻き上げられたラミネートチューブの巻き戻りを防止し、巻き上げ状態を保持するテープを提供しようとするものである。
【課題を解決するための手段】
【０００８】  本発明のラミネートチューブ巻き戻り防止保持テープはラミネートチューブの使用過程において不要となる末端部分の巻き上げ使用に際し、予めラミネートチューブ表面に粘着層を設けたテープを用意して、ラミネートチューブ末端からの巻き上げに際し、巻き戻らないよう接着保持するためのテープを用意することを特徴とするものである。
【発明の効果】
【０００９】  本発明を使用することにより、ラミネートチューブの使用過程に応じて、ラミネートチューブ内容物が減って行く過程において、ラミネートチューブ自身の呼吸作用に起因するラミネートチューブ内への空気進入、及び使用に際してのチューブ外面よりの押し出し外圧による内容物の逆流による絞り出し難さを解消することができる他、内容物を最後まで残すこと無く有効利用が可能となるものである。
【発明を実施するための最良の形態】  以下、本発明のラミネートチューブ巻き戻り防止テープの実施の形態を図面に基づき詳細に説明する。【００１０】  図１は一般的に使用されているラミネートチューブ本体斜視図を示し、図２はラミネートチューブ本体に、本発明のラミネートチューブ巻き戻り防止テープ４を予め用意した斜視図を示す。【００１１】  図３はラミネート巻き戻り防止テープ４としてラミネートチューブ表面に予め、貼り付けと剥離が繰り返し可能となる性質を備えたラミネートチューブ巻き戻り防止テープ（貼付け、剥離可能型テープ）５を用意した斜視図を示す。【００１２】  図４はラミネートチューブの使用過程に応じ末端部分から絞り上げ、折り畳み部７を形成した後、予めラミネートチューブ表面に用意した巻き戻り防止テープ（貼付け、剥離可能型テープ）５を折り返し端９が収納できる折り畳み部収納可能位置８まで剥がし、粘着層６を用意した状態の斜視図を示す。【００１３】  図５はラミネートチューブ折り返し端９を折り畳み部収納可能位置８まで折り返した後、図４で剥がしたラミネートチューブ巻き戻り防止テープ５の接着層６をラミネートチューブ反対側表面に巻き付け接着、収納固定する過程の斜視図を示す。【００１４】  図６はラミネートチューブ折り畳み部７をラミネートチューブ巻き戻り防止テープ５で貼り付け完了後の斜視図を示す。【００１５】  図７はラミネートチューブ巻き戻り防止テープ４として、テープ表面に分割剥離できる保護シール１１を形成し、ラミネートチューブ巻き戻り防止テープ（粘着層分割剥離シール型）１０をラミネートチューブ表面に予め用意した斜視図を示す。【００１６】  図８はラミネートチューブ内容物の使用過程に応じ末端部分から絞り上げた後、粘着層分割保護シール１１を剥がし粘着層６を折り畳み接着部として準備する状態の斜視図を示す。【００１７】  図９は分割保護シールを剥がした後、折り畳み部７を折り返し粘着層６に接着する過程の斜視図を示す。【００１８】  図１０は折り畳み部７を折り返し接着完了後の斜視図を示す。
【図面の簡単な説明】
【００１９】
【図１】一般的に現在使用されているラミネートチューブ本体斜視図
【図２】本発明のラミネートチューブ巻き戻り防止テープ４をラミネートチューブ表面に予め用意した状態の斜視図を示す。
【図３】ラミネート巻き戻り防止テープ４として、貼り付けと剥離が繰り返し可能となる性質を備えたラミネートチューブ巻き戻り防止テープ（貼付け、剥離可能型テープ）５を用意した斜視図を示す。
【図４】ラミネートチューブの使用過程に応じ末端部分から絞り上げた後、巻き戻り防止テープ（貼付け、剥離可能型テープ）５を利用する段階図の斜視図を示す。
【図５】ラミネートチューブを折畳んだ後、図４で剥がしたラミネートチューブ巻き戻り防止テープ５の接着層６をラミネートチューブ反対側表面に巻き付け接着、収納固定する過程の斜視図を示す。
【図６】図５で示すラミネートチューブ巻き戻り防止テープを反対側表面に巻き付け接着完了後の斜視図を示す。
【図７】ラミネートチューブ巻き戻り防止テープ４として、テープ表面に分割剥離できる保護シール１１を形成し、ラミネートチューブ巻き戻り防止テープ（粘着層分割剥離シール型）１０をラミネートチューブ表面に予め用意した斜視図を示す。
【図８】ラミネートチューブ内容物の使用過程に応じ末端部分から絞り上げた後、粘着層分割保護シール１１を剥がし粘着層６を折り畳み接着部として準備する状態の斜視図を示す。
【図９】粘着層分割保護シール１１を剥がした後、折り畳み部７を折り返し粘着層６に接着する過程の斜視図を示す。
【図１０】折り畳み部７を接着層６により接着完了後の斜視図を示す。
【符号の説明】
１ラミネートチューブ本体
２取出し口
３キャップ
４ラミネートチューブ巻き戻り防止テープ
５ラミネートチューブ巻き戻り防止テープ（貼付け、剥離可能テープ型）
６粘着層
７折畳み部
８折畳み部収納可能位置
９折り返し端
１０ラミネートチューブ巻き戻り防止テープ（粘着層分別剥離シール型）
１１粘着層分別保護シール
【図１】
2009269671.tif 000003
【図２】
2009269671.tif 000004
【図３】
2009269671.tif 000005
【図４】
2009269671.tif 000006
【図５】
2009269671.tif 000007
【図６】
2009269671.tif 000008
【図７】
2009269671.tif 000009
【図８】
2009269671.tif 000010
【図９】
2009269671.tif 000011
【図１０】
2009269671.tif 000012